(57)【特許請求の範囲】
【請求項１】
弦の振動により発生した音を止音するために、鍵の離鍵に伴い、前記振動した弦を押圧することによってその振動を停止させるアップライトピアノのダンパーレバーであって、
当該ダンパーレバーが、長繊維法で成形され、補強用の長繊維を含有する熱可塑性樹脂の成形品で構成されており、前記長繊維を含有しない合成樹脂で構成されたダンパーレバーよりも高い固有振動数を有することを特徴とするアップライトピアノのダンパーレバー。
【請求項２】
前記長繊維は、炭素繊維であることを特徴とする請求項１に記載のアップライトピアノのダンパーレバー。
【請求項３】
前記熱可塑性樹脂は、ＡＢＳ樹脂であることを特徴とする請求項１または２に記載のアップライトピアノのダンパーレバー。
【発明の詳細な説明】
【技術分野】
【０００１】
ダンパーの一部として設けられ、弦の振動により発生した音を止音するために、鍵の離鍵に伴い、振動した弦を押圧することによってその振動を停止させるアップライトピアノのダンパーレバーに関する。
【背景技術】
【０００２】
通常、アップライトピアノのダンパーは、ダンパーレバーフレンジと、このダンパーレバーフレンジに回動自在に設けられ、上下方向に延びるダンパーレバーと、その上端部に設けられたダンパーヘッドと、ダンパーレバーを後方の弦側に付勢するダンパーレバースプリングとを有している。従来のダンパーレバーは、ＡＢＳ樹脂などの合成樹脂または木材によって構成されており、ダンパーヘッドは、離鍵状態においては、ダンパーレバースプリングの付勢力によって、鉛直に張られた弦に当接し、これを押圧している。
【０００３】
演奏者が鍵を押鍵すると、ダンパーレバーは、ウィッペンに取り付けられたスプーンで押圧駆動され、ダンパーレバースプリングの付勢力に抗して回動することによって、ダンパーヘッドが弦から離れる。そして、その状態で弦を前方から打弦し、振動させることによって、音が発生する。その後、鍵が離鍵されると、ダンパーレバーは押鍵時とは逆の動作を行い、ダンパーヘッドが弦のハンマーによる打弦点とは異なる位置に前方から当接する。そして、ダンパーヘッドが、ダンパーレバースプリングの付勢力によって弦を押圧することにより、弦およびダンパーは一緒に振動し、この振動が急速に減衰することにより音が消失（止音）する。
【０００４】
以上のように、アップライトピアノでは、ダンパーレバースプリングの付勢力により、ダンパーへッドを、ハンマーと同じく前方から弦を押圧させることによって弦の振動を減衰させ、音を止音する。このような構成上、アップライトピアノでは、止音に比較的、時間を要する。このため、例えば同じ鍵を連打する場合に、ハンマーが打弦しても弦が正常に振動しない場合がある。すなわち、同じ鍵を連打する場合、打弦が連続して繰り返されるので、弦およびダンパーの振動の減衰に時間を要すると、前回の打弦による弦の振動が十分、減衰する前に、押鍵に伴いダンパーヘッドが弦から離れ、弦の振動がまだ残存している状態で次回の打弦が行われてしまい、その結果、弦を正常に振動させることができず、明確な演奏音を発生させることができないおそれがある。また、このような連打性を向上させるには、ダンパーレバースプリングのばね力を高めることが考えられるが、その場合、鍵のタッチ感に悪影響を及ぼしてしまう。
【０００５】
一方、従来のグランドピアノのアクションとして、例えば特許文献１に開示されたものが知られている。このアクションは、基本的には、一般的なアクションと同じ構成を有しており、離鍵状態において、鍵に載置されたウィッペンと、このウィッペンに回動自在に取り付けられたレペティションレバーおよびジャックなどを備えている。ウィッペンは、補強用の炭素繊維を含むＡＢＳ樹脂の成形品で構成されており、それにより、非常に高い剛性を有している。また、高い剛性を有していることから、ウィッペンの左右の側面には、ウィッペンを最大限、軽量化するための複数の凹部がそれぞれ形成されている。それにより、ウィッペンの動作が軽快になり、打弦タイミングが早められるなど、押鍵に対するアクションの応答性の向上が図られている。
【０００６】
また、グランドピアノにもダンパーが設けられており、そのダンパーは、水平に張られた弦のハンマーによる打弦点付近を、自重により上方から押圧することによって、弦の振動を減衰させ、止音する。このため、グランドピアノでは、弦の振動を効果的に減衰させることができ、速やかに止音することができるので、同じ鍵を連打する場合であっても、アップライトピアノの場合のような、上述した不具合は生じない。
【０００７】
本発明は、アップライトピアノの上記のような課題を解決するためになされたものであり、鍵のタッチ感に影響を及ぼすことなく、止音性能を高めることができ、それにより連打性を向上させることができるアップライトピアノのダンパーレバーを提供することを目的としている。
【０００８】
【特許文献１】特開２００４−３１８０４２号公報  （第５〜７頁、第１,２図）
【発明の開示】
【課題を解決するための手段】
【０００９】
上記の目的を達成するために、本発明の請求項１に係る発明は、弦の振動により発生した音を止音するために、鍵の離鍵に伴い、振動した弦を押圧することによってその振動を停止させるアップライトピアノのダンパーレバーであって、ダンパーレバーが、長繊維法で成形され、補強用の長繊維を含有する熱可塑性樹脂の成形品で構成されており、長繊維を含有しない合成樹脂で構成されたダンパーレバーよりも高い固有振動数を有することを特徴とする。
【００１０】
このような構成によれば、ダンパーレバーは、長繊維法で成形された、補強用の長繊維を含有する熱可塑性樹脂の成形品で構成されている。ここで、長繊維法とは、熱可塑性樹脂で被覆した同じ長さの繊維状の強化材を含むペレットを射出成形することによって、成形品を得るものである。この長繊維法によれば、成形品中に、例えば、０．５ｍｍ以上の長さを有する比較的長い繊維状の強化材が含有される。このように、本発明のダンパーレバーは、比較的長い補強用の長繊維を含有するので、合成樹脂で構成したダンパーレバーと比較して、非常に高い剛性を得ることができ、その結果、より高い固有振動数を得ることができる。
【００１１】
ダンパーレバーは、ダンパーの一部として設けられており、打弦による弦の振動によって音が発生した後において、鍵の離鍵に伴い、振動した弦を押圧することによってその振動を停止させ、それにより音が止音される。上述したように、ダンパーレバーは、より高い固有振動数を有していることにより、弦を押圧した状態で弦と一緒に振動する際の振動数もまた、従来のダンパーレバーの場合よりも高くなる。したがって、振動がより素早く停止するので、音を速やかに止音することができ、止音性能を高めることができる。また、振動が素早く停止することにより、同じ鍵を連打する場合であっても、次回の打弦が行われるまでに、弦の振動をほぼ停止させることができるので、明確な演奏音を、押鍵ごとに連続して発生させることができ、連打性を向上させることができる。
【００１２】
このように、ダンパーレバーの固有振動数を高めることによって、高い止音性能と連打性が得られるので、ダンパーレバースプリングのばね力を高める場合と異なり、鍵のタッチ感にはまったく影響を及ぼすことがない。また、熱可塑性樹脂によってダンパーレバーを構成するので、加工精度および寸法安定性が高いという合成樹脂の利点を得ることができる。
【００１３】
請求項２に係る発明は、請求項１に記載のピアノのダンパーレバーにおいて、長繊維は、炭素繊維であることを特徴とする。
【００１４】
ダンパーレバーの可動部分にほこりが付着すると、その動きが鈍くなり、それにより、ダンパーの応答性が低下するおそれがある。また、一般に、炭素繊維は、他の補強用の長繊維、例えばガラス繊維よりも導電性が高い。したがって、上記のように、そのような炭素繊維を、ダンパーレバーを構成する熱可塑性樹脂に含有した補強用の長繊維として用いることによって、ダンパーレバーの導電性を高め、その帯電性を低減することができる。それにより、ダンパーレバーにほこりが付着するのを抑制することができるので、ダンパーの動きおよびダンパーの応答性を良好に保つことができる。また、ダンパーレバーへのほこりの付着の抑制により、ダンパーレバーの外観を良好に保つことができるとともに、ダンパーの調整作業などの際に、作業者の手や服が汚れるのを抑制することができる。
【００１５】
請求項３に係る発明は、請求項１または２に記載のピアノのダンパーレバーにおいて、熱可塑性樹脂は、ＡＢＳ樹脂であることを特徴とする。
【００１６】
ＡＢＳ樹脂は、熱可塑性樹脂の中でも高い接着性を有する。したがって、ダンパーレバーを構成する熱可塑性樹脂として上記のようにＡＢＳ樹脂を用いることによって、ダンパーレバーに他の部品を接着剤で容易に接着でき、ダンパーの組立て性を向上させることができる。
【００１７】
また、一般に、炭素繊維などの強化材を含有した熱可塑性樹脂を射出成形する場合、そのメルトフローレートが大きいと、熱可塑性樹脂の金型内への流入速度が大きくなるために、強化材が成形品中に特定の方向に並びやすいことで、成形品の剛性に異方性が生じやすい。また、ＡＢＳ樹脂は、ゴム状重合体を含む熱可塑性樹脂であり、そのメルトフローレートは小さい。従って、ダンパーレバーを前述したようにＡＢＳ樹脂で構成することによって、ダンパーレバーの異方性を抑制できるので、高い剛性を安定して得ることができる。さらに、ＡＢＳ樹脂が持つ延性によって、ダンパーレバーの衝撃強度を高めることができる。
【発明を実施するための最良の形態】
【００１８】
以下、本発明の好ましい実施形態を、図面を参照しながら詳細に説明する。図１は、本発明を適用したアップライトピアノのダンパーレバー３２を含むダンパー１、鍵盤２およびアクション３などを、離鍵状態において示している。なお、以下の説明では、演奏者側から見たときのアップライトピアノの手前側を「前」、奥側を「後」として説明する。鍵盤２は、左右方向（図１の奥行方向）に並んだ多数の鍵２ａ（１つのみ図示）によって構成されている。各鍵２ａは、前後方向（図１の左右方向）のほぼ中央において、筬５に立設されたバランスピン５ａを支点として回動自在に支持されている。
【００１９】
アクション３は、鍵盤２の後端部の上方において、筬５の左右端部にそれぞれ設けたブラケット（図示せず）に取り付けられ、両ブラケットの間に設けられている。アクション３は、ウィッペン６やジャック７などを有していて、これらは、鍵２ａごとに設けられている（ともに１つのみ図示）。左右のブラケットの間には、センターレール１６およびハンマーレール１７などが渡されており、このセンターレール１６に、ウィッペンフレンジ１２およびバットフレンジ２５が鍵２ａごとにねじ止めされている（ともに１つのみ図示）。そして、ウィッペン６が後端部において、ウィッペンフレンジ１２に回動自在に支持されている。また、バットフレンジ２５には、ハンマー８が回動自在に支持されている。
【００２０】
ウィッペン６は、例えば、ＡＢＳ樹脂などの合成樹脂や木材によって所定の形状に形成されており、その前部から下方に突出するヒール部６ａを有していて、対応する鍵２ａの上面後端部に設けたキャプスタンボタン２ｂに、ヒール部６ａを介して載置されている。また、ウィッペン６の上面前端部には、バックチェックワイヤ９ａが立設されており、その先端部にバックチェック９が取り付けられている。また、ウィッペン６の上面後端部には、ダンパー１を駆動するためのスプーン１１が立設されている。また、このスプーン１１のすぐ前方には、前述したウィッペンフレンジ１２が配置されており、このウィッペンフレンジ１２は、その上部においてセンターレール１６に固定されている。
【００２１】
ジャック７は、例えば、合成樹脂または木材により構成されており、例えば射出成形によってＬ字形に一体成形されている。ジャック７は、前後方向に延びる基部７ａと、基部７ａの後端部から上方に延びるハンマー突上げ部７ｂを有している。このようなジャック７は、その基部７ａとハンマー突上げ部７ｂとの角部において、ウィッペン６のバックチェックワイヤ９ａよりも後方の位置に、回動自在に支持されている。また、基部７ａとウィッペン６の間には、ジャックスプリング１０が取り付けられている。このジャックスプリング１０は、コイルばねで構成され、押鍵時に、後述するようにジャック７を付勢するためのものであり、所定のばね定数を有している。
【００２２】
ジャック７の基部７ａの上方には、レギュレティングボタン１３が設けられている。このレギュレティングボタン１３は、センターレール１６に設けられた複数のレギュレティングブラケット１４と、その前端部に取り付けられ、左右方向に延びるレギュレティングレール１５とを介して、鍵２ａごとに設けられている（１つのみ図示）。
【００２３】
ハンマー８もまた、鍵２ａごとに設けられており（１つのみ図示）、バット２０、ハンマーシャンク２１、ハンマーヘッド２２およびキャッチャー２４などを備えている。バット２０は、例えば合成樹脂または木材により所定の形状に形成されており、その下端部において、前述したバットフレンジ２５に回動自在に支持されている。また、バットフレンジ２５は、その下端部においてセンターレール１６に固定されている。
【００２４】
ハンマーシャンク２１は、バット２０の上面に立設され、上下方向に延びており、その上端部にハンマーヘッド２２が設けられている。ハンマーヘッド２２は、後方に鉛直に張られた弦Ｓに対向しており、押鍵時に、このハンマーヘッド２２が弦Ｓを打弦する。
【００２５】
また、バット２０には、キャッチャーシャンク２３が設けられている。このキャッチャーシャンク２３は、バット２０の前面から前方に斜め下方に延びており、その前端部に前記キャッチャー２４が設けられていて、前方のバックチェック９に対向している。また、バット２０とハンマーシャンク２１の間には、バットスプリング２０ａが設けられており、これにより、ハンマー８が、図１の時計方向に付勢されている。離鍵状態では、ハンマー８は、ジャック７のハンマー突上げ部７ｂが、バット２０の下面の前端部で構成される被突上げ部２０ｃに下方から係合した状態で、静止している。  
【００２６】
ダンパー１は、アクション３の後方に鍵２ａごとに設けられている（１つのみ図示）。図２に示すように、ダンパー１は、センターレール１６にねじ止めされたダンパーレバーフレンジ３１に、ピン状の支点３１ａを介して回動自在に取り付けられたダンパーレバー３２と、ダンパーレバー３２に設けられたダンパーワイヤ３３およびダンパーヘッド３４と、ダンパーレバー３２を弦Ｓ側に付勢するダンパーレバースプリング３５などを備えている。このダンパー１は、鍵２ａの離鍵に伴い、ダンパーレバースプリング３５の付勢力によりダンパーヘッド３４を弦Ｓに押圧させることによって、止音するためのものである。
【００２７】
ダンパーレバーフレンジ３１は、ブロック状に形成されており、左右の両端部からレバー支持部３１ｂ，３１ｂが後方にそれぞれ突出していて（１つのみ図示）、ダンパーレバー３２は、両レバー支持部３１ｂ，３１ｂの間に挿入された状態で前記支点３１ａに支持されている。
【００２８】
ダンパーレバー３２は、長繊維法で形成されており、以下に述べるようなペレットを用いて射出成形することによって成形される。このペレットは、炭素繊維で構成されたロービングを、所定の張力を加えた状態で揃えながら、ゴム状重合体を含む熱可塑性樹脂である、例えばＡＢＳ樹脂を押出機で押し出したもので被覆することによって成形される。これにより、ペレットの成形時に、炭素繊維のロービングを折ることなく、ペレットに含有させることができるので、ペレットには、それと等しい長さの炭素繊維が含有される。本実施形態では、ペレットの長さは、５〜１５ｍｍに設定されており、それにより、このペレットを用いて射出成形されたダンパーレバー３２には、０．５〜２ｍｍの長さの炭素繊維が含有される。なお、上記のゴム状重合体のメルトフローレートは、比較的小さな値に設定されており、例えば２３０℃、２．１２ｋｇ荷重の試験条件で０．１〜５０ｇ／１０分の範囲に設定されている。
【００２９】
ダンパーレバー３２は、以上のような長繊維法で全体として棒状に形成されており、その中央において支点３１ａに支持されていて、上下方向に延びている。このダンパーレバー３２の前面の下端部には、一段、奥まった段差面３２ａが形成されており、この段差面３２ａには、フェルト３６が接着剤で貼り付けられている。また、ダンパーレバー３２の前面の上端部からは、前方に突出するスプリング支持部３２ｂが形成されており、その前面には、スプリング支持溝３２ｃが上下方向に延びるように形成されている。また、ダンパーレバー３２の左右の両側面には、軽量化のための上下２つの凹部３２ｄ，３２ｄが、それぞれ形成されている（左側面のみ図示）。
【００３０】
ダンパーレバースプリング３５は、ダンパーレバーフレンジ３１と、ダンパーレバー３２のスプリング支持溝３２ｃとの間に設けられている。ダンパーレバースプリング３５は、下端部においてダンパーレバーフレンジ３１に取り付けられており、上端部において、ダンパーレバー３２を、そのスプリング支持部３２ｂのスプリング支持溝３２ｃを介して押圧することによって、反時計方向に付勢している。
【００３１】
ダンパーワイヤ３３は、ダンパーレバー３２の上面に立設されており、その上端部にダンパーヘッド３４が取り付けられている。ダンパーヘッド３４は、ダンパーワイヤ３３の上端部に取り付けられたダンパーブロック３４ａと、ダンパーブロック３４ａの後面に貼り付けられたダンパーフェルト３４ｂを有している。このようなダンパーヘッド３４は、ダンパーレバースプリング３５の付勢力によって、後方の弦Ｓに前方から当接し、これを押圧している。
【００３２】
以下、押鍵の開始から終了までの上述したダンパー１、アクション３およびハンマー８などの一連の動作について説明する。演奏者により、図１の離鍵状態から鍵２ａが押鍵されると、鍵２ａは、バランスピン５ａを中心として図１の時計方向に回動し、その後端部に載置されたウィッペン６は、鍵２ａによって突き上げられることにより、上方（反時計方向）に回動する。このウィッペン６の回動に伴い、ウィッペン６に設けられたジャック７、バックチェック９およびスプーン１１などが一緒に移動し、ハンマー８は、そのバット２０がジャック７のハンマー突上げ部７ｂによって突き上げられることにより、後方の弦Ｓに向かって反時計方向に回動する。
【００３３】
押鍵開始後、ウィッペン６が所定の角度まで、回動すると、ウィッペン６の後端部に設けたスプーン１１が、ダンパーレバー３２の下端部にフェルト３６を介して当接し、押圧するようになり、押鍵が進むと、スプーン１１は、ダンパーレバー３２を、ダンパーレバースプリング３５の付勢力に抗して支点３１ａを中心として時計方向に回動させる。これにより、ダンパーヘッド３４が弦Ｓから離れ、弦Ｓが振動可能な状態になる。
【００３４】
ウィッペン６がさらに所定の角度まで、回動すると、ジャック７の基部７ａの前端部が、レギュレティングボタン１３に下方から当接する。それにより、ジャック７は、上方への移動が規制されることによって、ウィッペン６に対し、ジャックスプリング１０の付勢力に抗して、時計方向に回動し、そのハンマー突上げ部７ｂがバット２０から前方に外れ（レットオフ）、ハンマー８から離脱する。ハンマー８は、ジャック７が離脱した後も慣性によって回動し、弦Ｓを打弦し、振動させることによって音を発生させる。そして、ハンマー８は、弦Ｓの反発力によって、時計方向への復帰回動を開始する。
【００３５】
押鍵が終了し、鍵２ａが離鍵されるのに伴い、鍵２ａおよびアクション３などは、押鍵時とは逆方向に復帰回動し、それに伴い、スプーン１１もまた、ウィッペン６と一緒に押鍵時とは逆方向、すなわち時計方向に移動し、ダンパーレバー３２から離れる。それにより、ダンパー１もまた、ダンパーレバースプリング３５の付勢力によって押鍵時と逆方向に復帰回動し、ダンパーヘッド３４が弦Ｓに前方から当接し、弦Ｓの押圧を再開する。
【００３６】
ダンパーヘッド３４が弦Ｓに当接したときには、弦Ｓがまだ振動状態にあり、ダンパーヘッド３４による止音動作の開始直後において、弦Ｓおよびダンパー１は一緒に振動する。そして、この振動が急速に減衰することによって、音の大きさが急速に小さくなり、最終的に振動が停止することによって、音の発生が停止し、止音動作が終了する。以上により、図１に示す離鍵状態に復帰し、押鍵時および離鍵時の一連の動作が終了する。
【００３７】
以上のように、本実施形態によれば、ダンパーレバー３２が、長繊維法で成形された、補強用の長繊維を含有する熱可塑性樹脂の成形品で構成されていることにより、非常に高い剛性を有し、その結果、高い固有振動数を有している。それにより、このようなダンパーレバー３２を含むダンパー１が、弦Ｓを押圧した状態で弦Ｓと一緒に振動する際の振動数もまた、従来のダンパーレバーの場合よりも高くすることができる。その結果、振動がより素早く停止するので、音を速やかに止音することができ、止音性能を高めることができる。
【００３８】
また、振動が素早く停止することにより、同じ鍵２ａを連打する場合であっても、次回の打弦が行われるまでに、弦Ｓの振動をほぼ停止させることができるので、弦Ｓを正常に振動させ、明確な演奏音を発生させることができ、連打性を向上させることができる。このように、ダンパー３２の固有振動数を高めることによって、高い止音性能と連打性が得られるので、ダンパーレバースプリング３５のばね力を高める場合と異なり、鍵２ａのタッチ感には全く影響を及ぼさない。また、熱可塑性樹脂によってダンパーレバー３２を構成するので、加工精度および寸法安定性が高いという合成樹脂の利点を得ることができる。
【００３９】
また、炭素繊維を、ダンパーレバー３２を構成する熱可塑性樹脂に含有した補強用の長繊維として用いることによって、ダンパーレバー３２の導電性を高め、その帯電性を低減することができる。それにより、ダンパーレバー３２にほこりが付着するのを抑制することができるので、ダンパー１の動きおよびダンパー１の応答性を良好に保つことができる。また、ダンパーレバー３２へのほこりの付着の抑制により、ダンパーレバー３２の外観を良好に保つことができるとともに、ダンパー１の調整作業などの際に、作業者の手や服が汚れるのを抑制することができる。
【００４０】
また、ＡＢＳ樹脂は、熱可塑性樹脂の中でも高い接着性を有するので、ダンパーレバー３２を構成する熱可塑性樹脂として上記のようにＡＢＳ樹脂を用いることによって、ダンパーレバー３２にフェルト３６などを接着剤で容易に接着でき、ダンパー１の組立て性を向上させることができる。
【００４１】
また、ＡＢＳ樹脂は、ゴム状重合体を含む熱可塑性樹脂であり、そのメルトフローレートは小さい。したがって、ダンパーレバー３２を前述したようにＡＢＳ樹脂で構成することによって、ダンパーレバー３２の異方性を抑制できるので、高い剛性を安定して得ることができる。さらに、ＡＢＳ樹脂が持つ延性によって、ダンパーレバー３２の衝撃強度を高めることができる。
【００４２】
図３は、本実施形態のダンパーレバー３２の重量および補強効果を確認するために行った剛性試験の結果を、第１および第２の比較例とともに示したものである。第１比較例のダンパーレバーは従来の合成樹脂の成形品で、第２比較例は木材でそれぞれ構成されており、そのサイズおよび形状は、ダンパーレバー３２と同じである。剛性試験の方法は、ダンパーレバーの一端部を支持した状態で、その他端部に上方から荷重を加えながら変位を測定し、そのときの荷重と変位との関係から剛性を算出した。図３に示すように、これらのダンパーレバーの重両比は、第１比較例のダンパーレバーの重量を１．０とした場合、実施形態のダンパーレバー３２は１．０４、第２比較例のダンパーレバーは０．８９であり、実施形態のダンパーレバー３２は、木製のものよりも若干、重く、合成樹脂製のものとほぼ同じ重量を有している。また、剛性比は、第１比較例のダンパーレバーの剛性を１．０とした場合、本実施形態のダンパーレバー３２は２．０２、第２比較例のダンパーレバーは２．３３である。実施形態のダンパーレバー３２は、合成樹脂製のものに対して、ほぼ２倍の非常に高い剛性を有しており、木製のものと同程度まで剛性が高められることが確認された。
【００４３】
図４〜６は、実施形態、第１および第２比較例のダンパーレバーを用いたダンパーの止音性能を確認するために行った試験の一例である。試験の方法は、次のとおりである。まず、ダンパーヘッド３４に加速度ピックアップを取り付け、メゾフォルテ〜フォルテの強さで指で押鍵し、押鍵開始時からの加速度ピックアップの出力値（電圧値）の波形を記録した。また、この記録から波形の振幅が０．０２Ｖ以内に収束したときに、止音されたと定義し、押鍵開始時から止音時までの時間を減衰時間として測定した。
【００４４】
図４〜６は、上記の試験によって得られた本実施形態、第１および第２比較例の代表的な波形を表している。図５に示すように、第１比較例のダンパーレバーを用いた場合には、振幅はダンパーの弦Ｓへの当接時（同図の点Ａ）に急激に大きくなり、その後、時間の経過とともに減衰するものの、そのときの振動数が低いため、振動の減衰に長い時間を要する。これに対して、図４に示すように、実施形態のダンパーレバー３２を用いた場合には、振動の減衰時における振動数が高いため、振幅が第１比較例よりも短時間で小さくなる。また、図６に示すように、第２比較例のダンパーレバーを用いた場合には、実施形態のダンパーレバー３２を用いた場合とほぼ同じ波形が得られた。また、この試験では、実施形態、第１および第２比較例のダンパーレバーについてそれぞれ５つの検体を用意し、各検体に対して上記のような試験を、計１０回、行った。そして、検体数（５）×試験回数（１０回）＝５０回分の減衰時間の平均値を、それぞれ減衰時間として算出した。
【００４５】
図７は、上述したように算出した実施形態、第１および第２比較例の減衰時間を比で表したものである。それによれば、減衰時間は、第１比較例のダンパーレバーを１．０とした場合、実施形態のダンパーレバー３２では０．８４に、第２比較例のダンパーレバーでは０．９１に短縮された。以上の結果から、本実施形態のダンパーレバー３２を用いると、合成樹脂製のダンパーレバーを用いる場合、さらには木製のダンパーレバーを用いる場合よりも、振動がかなり素早く減衰し、止音性能が大幅に向上することが確認された。
【００４６】
なお、本発明は、説明した実施形態に限定されることなく、種々の態様で実施することができる。その他、細部の構成を、本発明の趣旨の範囲内で適宜、変更することが可能である。
【図面の簡単な説明】
【００４７】
【図１】アップライトピアノのアクション、ハンマー、および本発明を適用したダンパーレバーを有するダンパーなどを、離鍵状態において示す側面図である。
【図２】図１のダンパーを示す側面図である。
【図３】本発明を適用したダンパーレバー、第１および第２比較例のダンパーレバーの重量および剛性を、それぞれ第１比較例に対する比として示す図である。
【図４】本発明によるダンパーレバーを用いて弦を止音した場合の振動の減衰波形を示す図である。
【図５】第１比較例のダンパーレバーを用いて弦を止音した場合の振動の減衰波形を示す図である。
【図６】第２比較例のダンパーレバーを用いて弦を止音した場合の振動の減衰波形を示す図である。
【図７】本発明によるダンパーレバー、第１および第２比較例のダンパーレバーをそれぞれ用いて止音したときの弦の振動の減衰時間を、第１比較例に対する比として示す図である。
【符号の説明】
【００４８】
２ａ  鍵
３２    ダンパーレバー
Ｓ    弦
【図１】
0005276767.tif 000002
【図２】
0005276767.tif 000003
【図３】
0005276767.tif 000004
【図４】
0005276767.tif 000005
【図５】
0005276767.tif 000006
【図６】
0005276767.tif 000007
【図７】
0005276767.tif 000008